(57)【要約】【課題】折り畳み自在な荷役用パレットにおけるサイドパネルの位置決め効果を高めながら構造を簡略化する。【解決手段】荷支持台１の左右両側部に設けられたパネル支持部２０には、サイドパネル２が外側に開動するのを阻止する上向きの突出部材２２と、サイドパネル２が内側に閉動するときにその下側辺が係合する位置決め用係合部材２３が併設され、この位置決め用係合部材２３と前記上向きの突出部材２２とが前記パネル支持部２０を横断する連結部材２４で互いに連結一体化された構成。【選択図】図６
2009046163.tif 000002
【特許請求の範囲】
【請求項１】
左右両側部にパネル支持部を備えた荷支持台、この荷支持台の後側辺に当該荷支持台上へ折り畳み自在に立設されたバックパネル、及びこのバックパネルの左右両側辺に当該バックパネルに重ねるように折り畳み自在に連設され且つ前記荷支持台のパネル支持部で下側辺が支持されるサイドパネルを備え、前記パネル支持部には、前記サイドパネルが外側に開動するのを阻止する上向きの突出部材が併設された折り畳み自在な荷役用パレットであって、前記パネル支持部には、内側に閉動する前記サイドパネルの下側辺が係合する位置決め用係合部材が併設され、この位置決め用係合部材と前記上向きの突出部材とが前記パネル支持部を横断する連結部材で互いに連結一体化されている、折り畳み自在な荷役用パレット。
【請求項２】
前記荷支持台の左右両側部には、それぞれ底側に段積み用凹部を備えた前後一対の脚体が下向きに突設され、平面視において各脚体と重なる位置に前記上向き突出部材が配設され、これら上向き突出部材は、前記位置決め用係合部材よりも高く突出して、折り畳み状態のパレットの段積み時に上段パレットの各脚体の段積み用凹部が嵌合する折り畳み段積み用支持具を兼用する、請求項１に記載の折り畳み自在な荷役用パレット。
【請求項３】
前記上向き突出部材、位置決め用係合部材、及び連結部材は、１枚の板材の折曲加工により一体成形されている、請求項１又は２に記載の折り畳み自在な荷役用パレット。
【請求項４】
前記上向き突出部材、位置決め用係合部材、及び連結部材は、１本の棒状材の折曲加工により一体成形されている、請求項１又は２に記載の折り畳み自在な荷役用パレット。
【請求項５】
前記荷支持台は、フレーム構造体とその上に敷設されたメッシュ構造体とから構成され、前記パネル支持部は、前記メッシュ構造体の線材の内、前後方向適当間隔おきに並列する左右方向線材で構成され、前記上向き突出部材と位置決め用係合部材とを連結する連結部材は、パネル支持部における左右方向線材間を横断する状態でフレーム構造体上に取り付けられている、請求項１〜４の何れか１項に記載の折り畳み自在な荷役用パレット。
【請求項６】
前記荷支持台は、フレーム構造体とその上に敷設されたメッシュ構造体とから構成され、前記パネル支持部は、前記メッシュ構造体の左右両側辺から外側に張り出すフレーム構造体の左右両側部で構成され、前記上向き突出部材と位置決め用係合部材とを連結する連結部材は、パネル支持部を構成するフレーム構造体の左右両側部上に取り付けられている、請求項１〜４の何れか１項に記載の折り畳み自在な荷役用パレット。
【請求項７】
前記上向き突出部材と位置決め用係合部材とを連結する連結部材は、その高さがパネル支持部の支持レベルと同一で、当該連結部材がパネル支持部の一部を構成している、請求項１〜６の何れか１項に記載の折り畳み自在な荷役用パレット。
【請求項８】
前記上向き突出部材、位置決め用係合部材、及び連結部材から成るサイドパネル位置決めユニットは、荷支持台の前後方向複数箇所に配設され、前記パネル支持部は、各サイドパネル位置決めユニットの前記上向き突出部材と位置決め用係合部材とを連結する連結部材のみによって構成されている、請求項１〜６の何れか１項に記載の折り畳み自在な荷役用パレット。
【発明の詳細な説明】
【技術分野】
【０００１】
本発明は、荷支持台、この荷支持台の後側辺に当該荷支持台上へ折り畳み自在に立設されたバックパネル、及びこのバックパネルの左右両側辺に当該バックパネルに重ねるように折り畳み自在に連設されたサイドパネルを備えた折り畳み自在な荷役用パレットに関するものである。
【背景技術】
【０００２】
この種の折り畳み自在な荷役用パレットでは、特許文献１にも記載されるように、前記パネル支持部に支持されたサイドパネルの位置決めのために、当該サイドパネルの下側辺から下向きに突設した突出片を、荷支持台の左右両側部に設けられた前後方向の凹溝部に嵌合させるように構成されていた。
【特許文献１】特開２００５−９６８２３号公報
【発明の開示】
【発明が解決しようとする課題】
【０００３】
上記のような従来の荷役用パレットの構成では、サイドパネルの下側辺から突出する突出片が変形して、折り畳まれたパレットの組立てに支障を来す恐れがあるばかりでなく、当該突出片の存在によりサイドパネルをバックパネルの外側に折り畳まなければならず、パレットの折り畳みに際し、パレットの周囲に大きな空間が必要になると共に、折り畳み作業も容易でなかった。このような問題点を解決するため、サイドパネルの下側辺は突出片を設けずにフラットにし、荷支持台の左右両側部に設けたパネル支持部でサイドパネルの下側辺を支持させると共に、当該サイドパネルが外側に開動するのを荷支持台から突設させた上向き突出部材で阻止するように構成することも考えられたが、このサイドパネルを外向きに押し開くほどに荷が収納されていない状態でパレットを段積みしたとき、サイドパネルに作用する上段パレットからの垂直荷重でサイドパネルの下側辺が荷支持台上を内側へ滑って当該サイドパネルが座屈変形する恐れがあった。
【課題を解決するための手段】
【０００４】
本発明は上記のような従来の問題点を解消し得る折り畳み自在な荷役用パレットを提供することを目的とするものであって、請求項１に記載の折り畳み自在な荷役用パレットは、後述する実施形態の参照符号を付して示すと、左右両側部にパネル支持部２０を備えた荷支持台１、この荷支持台１の後側辺に当該荷支持台１上へ折り畳み自在に立設されたバックパネル４、及びこのバックパネル４の左右両側辺に当該バックパネル４に重ねるように折り畳み自在に連設され且つ前記荷支持台１のパネル支持部２０で下側辺が支持されるサイドパネル２，３を備え、前記パネル支持部２０には、前記サイドパネル２，３が外側に開動するのを阻止する上向きの突出部材２２が併設された折り畳み自在な荷役用パレットであって、前記パネル支持部２０には、内側に閉動する前記サイドパネル２，３の下側辺が係合する位置決め用係合部材２３が併設され、この位置決め用係合部材２３と前記上向きの突出部材２２とが前記パネル支持部２０を横断する連結部材２４で互いに連結一体化された構成となっている。
【０００５】
上記構成の本発明を実施するについて、前記荷支持台１の左右両側部に、それぞれ底側に段積み用凹部８ａを備えた前後一対の脚体８が下向きに突設されている場合、請求項２に記載のように、平面視において各脚体８と重なる位置に前記上向き突出部材２２を配設し、これら上向き突出部材２２は、前記位置決め用係合部材２３よりも高く突出させて、折り畳み状態のパレットの段積み時に上段パレットの各脚体８の段積み用凹部８ａが嵌合する折り畳み段積み用支持具１５を兼用させることができる。
【０００６】
又、請求項３に記載のように、前記上向き突出部材２２、位置決め用係合部材２３、及び連結部材２４は、１枚の板材の折曲加工により一体成形することができるし、請求項４に記載のように、１本の棒状材の折曲加工により一体成形することができる。
【０００７】
前記荷支持台１は、フレーム構造体６とその上に敷設されたメッシュ構造体７とから構成し、前記パネル支持部２０は、前記メッシュ構造体７の線材１８，１９の内、前後方向適当間隔おきに並列する左右方向線材１９で構成することができるが、この場合、請求項５に記載のように、前記上向き突出部材２２と位置決め用係合部材２３とを連結する連結部材２４は、パネル支持部２０における左右方向線材１９間を横断する状態でフレーム構造体６上に取り付けることができる。
【０００８】
又、前記荷支持台１は、フレーム構造体６とその上に敷設されたメッシュ構造体７とから構成し、前記パネル支持部２０は、前記メッシュ構造体７の左右両側辺から外側に張り出すフレーム構造体６の左右両側部で構成することができるが、この場合、請求項６に記載のように、前記上向き突出部材２２と位置決め用係合部材２３とを連結する連結部材２４は、パネル支持部２０を構成するフレーム構造体６の左右両側部上に取り付ければ良い。
【０００９】
更に、請求項７に記載のように、前記上向き突出部材２２と位置決め用係合部材２３とを連結する連結部材２４は、その高さがパネル支持部２０の支持レベルと同一となるように構成して、当該連結部材２４でパネル支持部２０の一部を構成させることができる。又、前記上向き突出部材２２、位置決め用係合部材２３、及び連結部材２４から成るサイドパネル位置決めユニット２１，２５〜２７を荷支持台１の前後方向複数箇所に配設する場合、請求項８に記載のように、前記パネル支持部２０は、各サイドパネル位置決めユニット２１，２５〜２７の前記上向き突出部材２２と位置決め用係合部材２３とを連結する連結部材２４のみによって構成することも可能である。
【発明の効果】
【００１０】
上記請求項１に記載の本発明に係る折り畳み自在な荷役用パレットによれば、荷支持台の左右両側部のパネル支持部に下側辺が支持されたサイドパネルは、外側へ開動するのは上向き突出部材で阻止され、下側辺が荷支持台上を滑って内側へ閉動しようとしたときは、当該下側辺が位置決め用係合部材に引っ掛かってその閉動を阻止されるので、所定位置に確実に保持され、パレットを段積みしたときにサイドパネルの下側辺が荷支持台上を内側へ滑って座屈変形するのを効果的に防止できるのであるが、特に本発明の構成によれば、外側の上向きの突出部材と内側の位置決め用係合部材とが前記パネル支持部を横断する連結部材で互いに連結一体化されているので、前記連結部材を荷支持台上に取り付けるだけで上向きの突出部材と位置決め用係合部材の両者の取り付けが完了し、パレットの製造コストの低減を図ることができる。又、従来のように上向きの突出部材を荷支持台の外側面に当接させて溶接により取り付けなければならない場合と比較して、荷支持台の外側面をフラットに形成することができ、しかも水平向きで適当な長さを確保できる前記連結部材により、上向きの突出部材と位置決め用係合部材の両者を強固に取り付けることができる。
【００１１】
尚、請求項２に記載の構成によれば、前記上向き突出部材をして、折り畳み状態のパレットの段積み時に荷支持台の左右両側辺に必要な折り畳み段積み用支持具を兼用させることができ、この折り畳み段積み用支持具を別途設ける場合と比較して部品点数を少なくし、コストダウンを図ることができる。
【００１２】
前記上向きの突出部材と位置決め用係合部材とを連結する連結部材は、その何れか一方から折曲連設し、他方の部材に対して溶接などで固着一体化することもできるし、場合によっては上向きの突出部材、位置決め用係合部材、及び連結部材の三者をそれぞれ別部品として製造し、これらを溶接などにより一体化することも可能であるが、請求項３や４に記載の構成によれば、１枚の板材や１本の棒状材の折曲加工だけで構成してコストダウンを図ることができる。特に請求項３に記載の構成によれば、連結部材相当箇所が、水平板材から形成されるので、この連結部材相当箇所を荷支持台側の水平部上に載置して溶接などで固着するだけで、上向きの突出部材と位置決め用係合部材の両者を荷支持台上に垂直に起立する状態に取り付けることができる。
【００１３】
又、荷支持台がフレーム構造体とその上に敷設されたメッシュ構造体とから構成されると共に、前記パネル支持部が、前記メッシュ構造体の線材の内、前後方向適当間隔おきに並列する左右方向線材で構成される場合には、請求項５に記載の構成を利用し、前記パネル支持部がメッシュ構造体の左右両側辺から外側に張り出すフレーム構造体の左右両側部で構成される場合には、請求項６に記載の構成を利用することにより、上向き突出部材と位置決め用係合部材とを連結する連結部材を荷支持台のメッシュ構造体に固着するのではなく、荷支持台のフレーム構造体上に前記連結部材を固着すれば良いので、本発明を容易に実施することができる。
【００１４】
更に、請求項７に記載の構成によれば、上向き突出部材と位置決め用係合部材とを連結する連結部材によってサイドパネルの下側辺を支持するパネル支持部の一部を兼用させることができるので、パネル支持部を横断する連結部材の存在によって当該パネル支持部のサイドパネル支持エリアが減縮するという不都合を無くし、前記連結部材が無い場合と同じだけのサイドパネル支持エリアを確保し、或いは前記連結部材が無い場合よりもサイドパネル支持エリアを増大させ、サイドパネルを広い領域で安定的に支持させることができる。この逆に、請求項８に記載の構成によれば、上向き突出部材と位置決め用係合部材とを一体化して荷支持台上に取り付けるための連結部材によって、当該荷支持台側に必要なパネル支持部を構成することができるので、荷支持台の左右両側部にパネル支持部を構成し、このパネル支持部に影響しないように前記連結部材を取り付けなければならない場合よりも、荷支持台全体の構成が簡単になり、製造も容易になる。
【発明を実施するための最良の形態】
【００１５】
以下に本発明の好適実施形態を添付図に基づいて説明すると、図１及び図２において、１は平面矩形の荷支持台、２，３は荷支持台１の左右両側辺から起立するサイドパネル、４は荷支持台１の後側辺から起立するバックパネル、５は荷支持台１の前側辺から起立する開閉自在なゲートパネルである。荷支持台１は、フレーム構造体６とその上に重ねて固着されたメッシュ構造体７とから構成され、この荷支持台１の左右両側辺の前後両端近傍位置には、フレーム構造体６の底部に固着する方法で脚体８が付設されている。各脚体８の底部には、従来周知のように段積み用凹部８ａが形成されている。サイドパネル２，３は、バックパネル４の左右両側辺にコイルヒンジ９を介して当該バックパネル４の内側に重ねるように折り畳み自在に連結されている。バックパネル４は、その下端から内側に直角に折曲連設された折曲底辺部１０を備えた側面視Ｌ形のもので、その折曲底辺部１０の先端においてヒンジ１１により荷支持台１上に起伏自在に連結されている。
【００１６】
ゲートパネル５は、下側ゲート部５ａと、この下側ゲート部５ａの上辺にヒンジ１２によって前後開閉自在に連結された上側ゲート部５ｂとから成り、下側ゲート部５ｂの下辺が荷支持台１の前側辺にコイルヒンジ１３により起伏自在に連結されている。そして、垂直に起立させたゲートパネル５の下側パネル部５ａの左右両側辺上端部と上側パネル部５ｂの左右両側辺上端部とをサイドパネル２，３の前側辺に係止する４つの係止手段１４が併設されている。
【００１７】
上記構成の荷役用パレットは、図１に示す組立て状態において、各パネル２〜５で囲まれた荷支持台１上の荷収納空間内に荷を収納して、運搬や保管に利用されるものであるが、荷を取り出すときは、係止手段１４を解除して、ゲートパネル５の全体又は上側ゲートパネル部５ｂのみを手前に回倒して荷収納空間の前側を開放することができる。この組立て状態での荷役用パレットは、図２に仮想線で示すように、上段のパレットの左右両側の脚体８を下段のパレットの左右両サイドパネル２，３の上辺に、各脚体８の底部の段積み用凹部８ａを利用して嵌合させることにより、段積みすることができる。
【００１８】
使用しない荷役用パレットは、係止手段１４を解除して荷支持台１上にゲートパネル５を重ねるように折り畳み、左右両サイドパネル２，３をバックパネル４の内側に重ねるように折り畳んだ状態で当該バックパネル４を荷支持台１上に重ねるように折り畳むことにより、荷支持台１上の高さが、最上位に位置する折り畳まれたバックパネル４の垂直姿勢にある折曲底辺部１０の高さ相当まで低くすることができる。この実施形態でのパレットは、折り畳んだパレットを段積みするための折り畳み段積み用支持具１５が、荷支持台１の左右両側辺の前後２箇所に上向きに突設されているので、上段の折り畳みパレットにおける左右両側それぞれ前後一対の脚体８を、下段の折り畳みパレットにおける左右両側それぞれ前後一対の折り畳み段積み用支持具１５の上辺に、各脚体８の底部の段積み用凹部８ａを利用して嵌合させることにより、段積みすることができる。
【００１９】
上記のように使用される折り畳み自在な荷役用パレットにおいて採用した本発明に係る構成を図３〜図６に基づいて説明すると、図３に示すように、荷支持台１のフレーム構造体６は、左右一対の前後方向枠材１６ａ，１６ｂ及び前後一対の左右方向枠材１６ｂ，１６ｃから構成された周囲枠１７と、この周囲枠１７の内側、具体的には左右一対の前後方向枠材１６ａ，１６ｂどうしを略中央位置で互いに連結する補強用左右方向枠材１６ｅとから構成されている。尚、この実施形態では、前後一対の左右方向枠材１６ｂ，１６ｃは、左右一対の前後方向枠材１６ａ，１６ｂの前後両端より少し内側に入った箇所に配置され、各脚体８は、前後方向枠材１６ａ，１６ｂの下側で当該前後方向枠材１６ａ，１６ｂと左右方向枠材１６ｂ，１６ｃとの間のＴ形交叉部に溶接により固着されている。尚、この実施形態では、フレーム構造体６の左右一対の前後方向枠材１６ａ，１６ｂには溝形鋼を上側開放向きに使用し、３本の左右方向枠材１６ｃ〜１６ｅには、その上面を前後方向枠材１６ａ，１６ｂの上端レベルより一段低くした角パイプ材を使用しているが、これら枠材１６ａ〜１６ｅは、如何なる断面形状の部材で構成しても良い。勿論、周囲枠１７の内側に架設する補強用枠材の方向や本数（荷支持台１のサイズが小さいときは無くとも良い）も限定されない。
【００２０】
荷支持台１のメッシュ構造体７は、図３に示すように、左右方向に適当間隔おきに並列する多数本の前後方向線材１８と、これら前後方向線材１８の上側で前後方向に適当間隔おきに並列させた多数本の左右方向線材１９を、溶接により互いに固着して構成されたものである。このメッシュ構造体７をフレーム構造体６の上に敷設するのであるが、このとき図４及び図６に示すように、左右両端とその内側２番目の各２本の前後方向線材１８がフレーム構造体６の左右一対の前後方向枠材１６ａ，１６ｂを挟むと共に、残りの各前後方向線材１８がフレーム構造体６の各左右方向枠材１６ｃ〜１６ｅの上に当接し、同時に各左右方向線材１９の両端部がフレーム構造体６の左右一対の前後方向枠材１６ａ，１６ｂ上に横断当接するように構成している。尚、メッシュ構造体７の網目は、各前後方向線材１８と各左右方向線材１９とで形成されるが、図４に示すように、フレーム構造体６の各左右方向枠材１６ｃ〜１６ｅと重なる領域には左右方向線材１９は配置されておらず、このフレーム構造体６の各左右方向枠材１６ｃ〜１６ｅを利用してその前後両側にメッシュ構造体７の網目を形成している。
【００２１】
上記構成によれば、荷支持台１の左右両側部には、フレーム構造体６の左右一対の前後方向枠材１６ａ，１６ｂの上を左右方向に横断する各左右方向線材１９の両端部で形成されたパネル支持部２０が形成されている。このパネル支持部２０上に左右各サイドパネル２，３の下側辺が支持されることになるが、このパネル支持部２０の前後両端近傍位置、即ち、平面視において、フレーム構造体６の左右一対の前後方向枠材１６ａ，１６ｂの前後両端近傍下側に固着された各脚体８と重なる位置に、サイドパネル位置決めユニット２１が取り付けられている。
【００２２】
各サイドパネル位置決めユニット２１は、図４〜図６に示すように、パネル支持部２０の外側辺位置で前記折り畳み段積み用支持具１５を構成する上向き突出部材２２と、パネル支持部２０の内側辺位置で荷支持台１の荷支持レベル、即ち、メッシュ構造体７における左右方向線材１９で形成される荷支持レベルより少し上向きに突出する位置決め用係合部材２３と、これら両者を互いに連結一体化する連結部材２４から成るものであって、具体的には、各脚体８の前後方向の幅よりも幅広の板材から成る連結部材２４の外側辺から直角上向きに折曲延出させた部分を上向き突出部材２２（折り畳み段積み用支持具１５）とすると共に、前記連結部材２４の内側辺から直角上向きに折曲延出させた部分を位置決め用係合部材２３としたものである。
【００２３】
尚、上向き突出部材２２は、折り畳み段積み用支持具１５を兼用させるために、折り畳まれたパレットを段積みしたときに、上段パレットの各脚体８の底部の段積み用凹部８ａを嵌合させることができる高さに位置する上側縁２２ａと、この上側縁２２ａの一端に位置して、支持する上段パレットの前後方向の移動を阻止する突起部２２ｂを備えている。又、位置決め用係合部材２３は、上向き突出部材２２と比較して十分に低いもので、パネル支持部２０上（メッシュ構造体７の各左右方向線材１９の上）で支持されたサイドパネル２，３が内側へ滑動したとき、そのサイドパネル２，３の下側辺が引っ掛かって止められる程度の高さを有するものである。
【００２４】
この実施形態では、前記サイドパネル位置決めユニット２１を構成する板材の板厚は、メッシュ構造体７の左右方向線材１９の線径と同一か又は若干薄いものである。従って、パネル支持部２０を横断することになる連結部材２４の上面は、当該パネル支持部２０におけるパネル支持レベルと面一か又は若干低い位置にある。従って、連結部材２４の上面がパネル支持部２０におけるパネル支持レベルと面一になるように構成すれば、サイドパネル２，３の下側辺は、パネル支持部２０を構成しているメッシュ構造体７の左右方向線材１９の両端部と前後一対の連結部材２４の上面の両方で支持させることができる。尚、この構成によってサイドパネル位置決めユニット２１を構成する板材の板厚が制限される結果、折り畳み段積み用支持具１５を兼用する上向き突出部材２２の支持強度が不足するときは、当該上向き突出部材２２に垂直方向の補強用リブを成形することができる。
【００２５】
而して、図１に示すように組み立てられたパレットの左右両サイドパネル２，３は、その下側辺が荷支持台１側の左右両パネル支持部２０で支持されるが、当該サイドパネル２，３が外側へ開動することは、前後一対のサイドパネル位置決めユニット２１の外側の上向き突出部材２２で構成された折り畳み段積み用支持具１５によって確実に阻止され、当該サイドパネル２，３が内側へ閉動することは、パネル支持部２０上（メッシュ構造体７の各左右方向線材１９の上）で内側へ滑動するサイドパネル２，３の下側辺が前後一対のサイドパネル位置決めユニット２１の内側の位置決め用係合部材２３に引っ掛かって止められる。従って、左右両サイドパネル２，３は、バックパネル４に対して略直角前方向きの姿勢に確実に保持される。そしてこのパレットを折り畳むために左右両サイドパネル２，３をバックパネル４の内側へ折り重ねるときは、バックパネル４を後方へ倒すように左右両サイドパネル２，３を少し持ち上げて内側へ閉動させることにより、そのサイドパネル２，３の下側辺をして、前後一対のサイドパネル位置決めユニット２１の内側の位置決め用係合部材２３を内側へ乗り越えさせれば良い。
【００２６】
尚、上記実施形態のサイドパネル位置決めユニット２１は、板材の折曲加工によって構成したものであるが、図７に示すように、棒状材の曲げ加工により構成したサイドパネル位置決めユニット２５であっても良い。このサイドパネル位置決めユニット２５は、１本の棒状材（丸棒鋼）の曲げ加工により構成された上向き突出部材２２（折り畳み段積み用支持具１５）の前後両支柱部２２ｃの下端から直角内向きに前後一対の連結部材２４ａ，２４ｂを折曲延出させると共に、これら両連結部材２４ａ，２４ｂの内端から上向きに前後一対の位置決め用係合部材２３ａ，２３ｂを折曲延出させたものであるが、仮想線で示すように、前後一対の位置決め用係合部材２３ａ，２３ｂの上端どうしを前後方向水平部材２３ｃで連結一体化することもできる。勿論、このように前後方向水平部材２３ｃで連結一体化する場合、適当な箇所、例えば前後方向水平部材２３ｃの中間位置や連結部材２４ａ，２４ｂの片側の中間位置で、棒状材の両端を接合することができる。又、このサイドパネル位置決めユニット２５を構成する棒状材は、その連結部材２４ａ，２４ｂがパネル支持部２０の一部分を構成するように、メッシュ構造体７における左右方向線材１９と同一線径のものを使用するのが望ましい。
【００２７】
上記サイドパネル位置決めユニット２１，２５は、上向き突出部材２２が折り畳み段積み用支持具１５を兼用する構造であるが、折り畳み段積み用支持具１５が不要のときは、外側の上向き突出部材２２は高さを低くすることができるし、１本の垂直に起立する棒状部材から構成することもできる。例えば図８及び図９に示すサイドパネル位置決めユニット２６は、メッシュ構造体７における左右方向線材１９よりも線径の十分太い１本の丸棒鋼をＬ字形に曲げ加工して構成したものであって、垂直に起立する棒状の上向き突出部材２２の下端から直角内向きに延出する水平部分には、その先端部を除く中間上側部を切削除去して、パネル支持部２０の支持レベルと面一のパネル支持面部２４ｃを備えた連結部材２４を形成し、当該水平部分の太い線材のまま残っている先端部を、パネル支持部２０の支持レベルより上向きに突出する位置決め用係合部材２３としたものである。
【００２８】
図１０に示すサイドパネル位置決めユニット２７は、上向き突出部材２２が折り畳み段積み用支持具１５を兼用しない構造のものであって、図７に示したサイドパネル位置決めユニット２５と同様に、１本の棒状材（丸棒鋼）の曲げ加工により構成されたもので、円弧形に上向きに突出する上向き突出部材２２と、当該上向き突出部材２２と同様に円弧形に上向きに突出する位置決め用係合部材２３、及び上向き突出部材２２の両下端と位置決め用係合部材２３の両下端とを互いに連結一体化する前後一対の連結部材２４ａ，２４ｂから構成されている。このサイドパネル位置決めユニット２７においても、連結部材２４ａ，２４ｂがパネル支持部２０の一部分を構成するように、メッシュ構造体７における左右方向線材１９と同一線径の棒状材を使用して構成するのが望ましい。
【００２９】
図１１〜図１３に示す実施形態では、フレーム構造体６の左右一対の前後方向枠材１６ａ，１６ｂをメッシュ構造体７から左右両外側に張り出させて配置し、この左右一対の前後方向枠材１６ａ，１６ｂ上で平面視において前後一対の脚体８と重なる位置にそれぞれ前記サイドパネル位置決めユニット２１を取り付けている。この構成では、荷支持台１の左右両側部のパネル支持部２０は、前後一対のサイドパネル位置決めユニット２１の連結部材２４の上面のみで構成されることになるので、棒状材から構成されるサイドパネル位置決めユニット２５〜２７なども利用できるが、サイドパネル位置決めユニット２１のように前後方向に比較的長くて連続したパネル支持面を構成できる板状の連結部材２４を有する前記サイドパネル位置決めユニット２１を利用するのが望ましい。
【００３０】
図１４及び図１５に示す実施形態では、フレーム構造体６の左右一対の前後方向枠材１６ａ，１６ｂに角パイプ材を使用すると共に、この左右一対の前後方向枠材１６ａ，１６ｂをメッシュ構造体７から左右両外側に張り出させて配置し、この左右一対の前後方向枠材１６ａ，１６ｂ上で平面視において前後一対の脚体８と重なる位置にそれぞれ前記サイドパネル位置決めユニット２１を、その連結部材２４の上面が前後方向枠材１６ａ，１６ｂの上面と面一になるように、前後方向枠材１６ａ，１６ｂの天板部に形成した切り欠き凹部２８に連結部材２４を嵌合させて取り付けている。この構成では、荷支持台１の左右両側部のパネル支持部２０は、左右一対の前後方向枠材１６ａ，１６ｂの天板部上面と前後一対のサイドパネル位置決めユニット２１の連結部材２４の上面とで構成させることができるが、前後方向枠材１６ａ，１６ｂの天板部上面で十分な長さのパネル支持部２０を構成できるので、場合によっては、サイドパネル位置決めユニット２１の連結部材２４の上面を、前後方向枠材１６ａ，１６ｂの天板部上面より低くして、当該連結部材２４の上面がパネル支持部２０を形成しないように構成しても良い。勿論、この実施形態においても、棒状材から構成されるサイドパネル位置決めユニット２５〜２７なども利用できる。
【００３１】
以上の実施形態では、サイドパネル位置決めユニットは、荷支持台１の左右両側辺の前後２箇所に配設される脚体８と平面視において重なる前後２箇所に配設したが、これは、サイドパネル位置決めユニットの外側の上向き突出部材２２で折り畳み段積み用支持具１５を兼用させる場合の必須要件となるが、先に説明したように、折り畳み段積み用支持具１５が不要の場合、又はサイドパネル位置決めユニットとは別に折り畳み段積み用支持具１５を配設する場合には、サイドパネル位置決めユニットは、適当個数を荷支持台１の左右両側辺の前後方向任意の位置に配設することができる。
【図面の簡単な説明】
【００３２】
【図１】折り畳み自在な荷役用パレットの全体を示す斜視図である。
【図２】同上パレットの概略縦断側面図である。
【図３】Ａ図は同上パレットの荷支持台を構成するメッシュ構造体の平面図、Ｂ図は同フレーム構造体の平面図である。
【図４】荷支持台の左側辺部を示す平面図である。
【図５】図４の要部の拡大側面図である。
【図６】図４の要部の拡大縦断正面図である。
【図７】第二実施形態に係るサイドパネル位置決めユニットを示す斜視図である。
【図８】第三実施形態を示す要部の縦断正面図である。
【図９】第三実施形態に係るサイドパネル位置決めユニットを示す斜視図である。
【図１０】第四実施形態に係るサイドパネル位置決めユニットを示す斜視図である。
【図１１】第五実施形態に係る荷支持台の左側辺部を示す平面図である。
【図１２】図１１の要部の拡大縦断側面図である。
【図１３】図１１の拡大正面図である。
【図１４】第六実施形態に係る要部の縦断側面図である。
【図１５】第六実施形態に係る要部の正面図である。
【符号の説明】
【００３３】
１    荷支持台
２，３    サイドパネル
４    バックパネル
５    ゲートパネル
６    荷支持台のフレーム構造体
７    荷支持台のメッシュ構造体
８    脚体
９，１１〜１３    ヒンジ
１０    バックパネルの折曲底辺部
１４    係止手段
１５    折り畳み段積み用支持具
１６ａ，１６ｂ    フレーム構造体の前後方向枠材
１６ｃ〜１６ｅ    フレーム構造体の左右方向枠材
１７    フレーム構造体の周囲枠
１８    メッシュ構造体の前後方向線材
１９    メッシュ構造体の左右方向線材
２０    パネル支持部
２１，２５〜２７    サイドパネル位置決めユニット
２２    上向き突出部材
２３，２３ａ，２３ｂ    位置決め用係合部材
２３ｃ    前後方向水平部材
２４，２４ａ，２４ｂ    連結部材
２４ｃ    パネル支持面部
２８    切り欠き凹部
【図１】
2009046163.tif 000003
【図２】
2009046163.tif 000004
【図３】
2009046163.tif 000005
【図４】
2009046163.tif 000006
【図５】
2009046163.tif 000007
【図６】
2009046163.tif 000008
【図７】
2009046163.tif 000009
【図８】
2009046163.tif 000010
【図９】
2009046163.tif 000011
【図１０】
2009046163.tif 000012
【図１１】
2009046163.tif 000013
【図１２】
2009046163.tif 000014
【図１３】
2009046163.tif 000015
【図１４】
2009046163.tif 000016
【図１５】
2009046163.tif 000017